(57)【特許請求の範囲】
【請求項１】
プラスチックの真空袋（1）と、
前記真空袋（1）上に設置されたその袋中の空気を排出できる脱気口（13）と、
前記真空袋の上部に設置された品物を入れることが可能である開口部（11）と、
前記開口部を密閉できる密閉装置（12）と、
前記真空袋（1）の外部に設けられた、前記プラスチック真空袋を収納できる外包装付属品（2）と、
少なくとも前記真空袋（1）の底部と前記外包装付属品（2）との間に設けられた締結装置（3）と、を有する真空包装材であって、
前記締結装置（3）は、前記真空袋（1）の底部に設置された貫通穴（31）と、前記外包装付属品(2)に設置された、貫通穴（31）を締め付ける締付ベルト（32）とを有し、その締付ベルト（32）は前記貫通穴（31）を通して連結可能であり、
前記真空袋（1）の底部には、真空袋を構成する二つ以上の板状体を結合する連結縁（14）があり、この連結縁（14）に前記貫通穴（31）が設けられている、
ことを特徴とする真空包装材。
【請求項２】
前記真空袋（1）の底部は矩形状の平底を有し、当該平底の二つの対向する縁はそれぞれ真空袋の二つの縦面を連結して二つの相対的な連結縁（14）が形成され、前記貫通穴（31）は少なくとも四つあり、そのうちの、前記外包装付属品（2）の相応的な位置に設置される締付ベルト（32）を連結するために、二つの貫通穴（31）が一つの連結縁（14）に設けられ、他の二つの貫通穴（31）が他の一つの連結縁（14）に設けられている、ことを特徴とする請求項１に記載の真空包装材。
【請求項３】
前記真空袋（1）の底部が尖った底部であり、前記連結縁（14）が一つであり、前記貫通穴（31）が二つであり、それぞれ前記プラスチック真空袋（1）の底部の連結縁（14）に設けられ、前記締付ベルト（32）が底板（21）に設置され、前記締付ベルト（32）が二つあり、二つの締付ベルト（32）が二つの貫通穴（31）に相応に連結されることを特徴とする請求項１に記載の真空包装材。
【請求項４】
前記外包装付属品（2）が四角形の箱体（2）であり、前記締付ベルト（32）が箱体（2）の紙製底板（21）に設置され、箱体（2）の上方に蓋板（4）も設置されることを特徴とする請求項１ないし請求項３の何れか一項に記載の真空包装材。
【請求項５】
前記箱体（2）は、四角形の硬質底板（21）を有し、その底板（21）の四つの縁上にそれぞれ四つの硬質側面板（25）が連結され、隣接の側面板（25）を上向きに折畳んだ後、相互に重なる縁を面ファスナーで連結して立方体形状の箱体が構成されることを特徴とする請求項４に記載の真空包装材。
【請求項６】
前記箱体（2）上に梱包用ベルト（22）が設けられ、その梱包用ベルト（22）の一端にワンタッチバックル差し込み側（23）が連結され、前記蓋板（4）上にも梱包用ベルト（41）が設けられ、その蓋板の梱包用ベルト（41）の一端にワンタッチバックル差し込み側（23）を挿入できるワンタッチバックル受け側（42）が連結され、前記ワンタッチバックル差し込み側（23）が前記ワンタッチバックル受け側（42）内に係合可能である、ことを特徴とする請求項４に記載の真空包装材。
【請求項７】
前記外包装付属品（2）が柔軟性材料で作製された包装袋（2）であり、前記真空袋（1）の底部に支持板（5）が追加設置され、当該包装袋（2）内に配置されることを特徴とする請求項１ないし請求項３の何れか一項に記載の真空包装材。
【請求項８】
前記支持板（5）の両端部にそれぞれ折り目（54）を設け、且つこれによって底板（51）と、折り畳み可能である二つの左側および右側面板（52、53）が形成され、前記真空袋（1）の底部が前記支持板の底部（51）上に配置され、支持板の左側および右側面板（52、53）を折り畳んだ後、真空袋と共に包装袋内に収納されることを特徴とする請求項７に記載の真空包装材。
【請求項９】
前記包装袋（2）上に梱包用ベルト（21）が設けられ、その梱包用ベルト（21）の一端にワンタッチバックル差し込み側（211）が連結され、梱包用ベルト（21）の他の一端にワンタッチバックル差し込み側（211）を挿入できるワンタッチバックル受け側（212）が連結され、前記ワンタッチバックル差し込み側（211）が前記ワンタッチバックル受け側（212）を係合可能であることを特徴とする請求項７に記載の真空包装材。
【請求項１０】
前記外包装付属品（2）の外表面に取っ手（24）が設けられていることを特徴とする請求項１ないし請求項３の何れか一項に記載の真空包装材。
【発明の詳細な説明】
【技術分野】
【０００１】
本発明は、包装袋、特に衣類などの生活用品を収納するための真空包装袋（即ち真空包装用の資材）に関する。
【背景技術】
【０００２】
防湿気、防塵などの特性を有するので、日常生活では、真空袋を用いて衣類、布団など生活用品を収納し、人々の生活に多くの便利性をもたらしている。
【０００３】
一般的に、従来の真空袋は、軟質の袋本体、例えばPVCやナイロン複合フィルムなどで作られ、そして、袋開口部にシールが設置され、及び袋本体に脱気口が設置される。人々の生活レベルの向上に伴って、真空袋の使用に対してより高い要求が提出されている。真空袋が柔軟なものであるため、衣類や布団を収納した後の形状は整っておらず、押入れなどの収納空間に入れる時、整えて積み重ねるのは困難であり、且つ真空袋の袋本体は、先鋭な或いは堅固なものによって破損されやすく、真空袋の使用寿命を短縮させる。
【先行技術文献】
【特許文献】
【０００４】
【特許文献１】（特になし）
【発明の概要】
【発明が解決しようとする課題】
【０００５】
本発明は、従来技術の欠点を克服し、構成が合理的であり、使い勝手がよく、真空袋を整えて積み重ねることができ、且つ真空袋が破損されることを防止する真空袋を提供することを目的とする。
【課題を解決するための手段】
【０００６】
上述の技術課題を解決するために、本発明は下記の技術方案を用いる。
【０００７】
真空袋と、真空袋上に設置された、その袋中の空気を排出できる脱気口と、真空袋の上部に設置された、品物を入れることができる開口部と、開口部を密閉できる密閉装置とを有する真空包装袋であって、真空袋の外部にプラスチック真空袋を収納できる外包装付属品が設置され、且つ少なくとも真空袋の底部と外包装付属品との間に締結装置が設置されることを特徴とする。
【０００８】
上述のような真空包装袋では、前記締結装置は、真空袋の底部に設置された貫通穴と、外包装付属品上に設置された、貫通穴を締め付ける締付ベルトとを有し、締付けベルトは貫通穴を通して連結できることを特徴とする。
【０００９】
上述のような真空包装袋では、前記真空袋の底部に真空袋が構成される二つ以上の板状体を連結する連結縁を有し、前記貫通穴が連結縁上に設置されることを特徴とする。
【００１０】
本発明に記載された前記外包装付属品が箱体であってもよく、包装袋であってもよい。外包装付属品は蓋を有してもよく、蓋を有しなくてもよい。
【００１１】
上述のような真空包装袋では、前記外包装付属品は矩形状の箱体であり、前記締付けベルトが箱体の底部上に設置され、前記外包装付属品が蓋を有し、即ち、箱体の上方にも箱体の開口部を密閉するための蓋が設置されることを特徴とする。
【００１２】
上述のような真空包装袋では、前記箱体が四角形の硬質底板を有し、紙製底板の四つの縁上にそれぞれ四つの硬質側面板が連結され、前記側面板が上向きに折り畳まれた後、箱体の側壁として、隣接の側面板が相互的に重なる縁はマジックテープ（登録商標）（面ファスナー）によって連結して箱体に形成される。
【００１３】
上述のような真空包装袋では、前記外包装付属品が柔軟性材料で作製された包装袋であり、外包装付属品としての包装袋に比較的に整然とした形状を有させ、及び底部が真空袋に対して比較的によく支持するために、真空袋の底部に支持板を追加設置し、当該包装袋内に配置する。前記柔軟性材料は布類、皮革、柔軟性の複合材料などでもよい。
【００１４】
上述のような真空包装袋では、前記支持板の両端にそれぞれ折り目が設けられ、且つこれによって底板及び二つの折り畳み可能である左側および右側面板が形成され、前記真空袋の底部は支持板の底部上に配置され、支持板の左側および右側面板を折り畳んだ後に真空袋と共に布袋に収納され、硬質支持板を用いて包装袋を整然とした外形に保ち、また、硬質支持板で真空袋を囲んで保護することを特徴とする。
【００１５】
本発明は、収納時により小さいサイズに折り畳むことを可能にするために、さらに前記支持板の底板の中間で半分折り畳むことができる折り目を設置してもよい。
【００１６】
上述のような真空包装袋では、前記真空袋の底部が平底形状を有し、当該平底の二つの対向する縁はそれぞれ真空袋の二つの縦面と結合して二つの相対的な連結縁が形成され、前記貫通穴は四つあり、その中、外包装付属品の底板上又は支持板（5）上の相応な位置に設置される締付けベルトに連結するために、二つの貫通穴が一つの連結縁上に設置され、他の二つの貫通穴が他の一つの連結縁上に設置されることを特徴とする。
【００１７】
上述のような真空包装袋では、前記真空袋の底部は真空袋本体を構成する二枚の板状体を結合して形成された尖った底部であり、前記尖った底部が連結縁に形成される。二つある前記貫通穴がそれぞれ当該連結縁上に設置され、二つある前記締付けベルトが外包装付属品の底板上に設置され、二つの締付ベルトが二つの貫通穴に相応に連結され、真空袋の底部を外包装付属品に連結させることを特徴とする。
【００１８】
上述のような真空包装袋では、前記外包装付属品の外表面に梱包用ベルトが設けられ、梱包用ベルトの一端が自由端であり、ワンタッチバックル差し込み側が連結され、外包装付属品の蓋上にも梱包用ベルトが設置され、当該梱包用ベルトの一端も自由端であり、ワンタッチバックル差し込み側が挿入できるワンタッチバックル受け側が連結され、前記ワンタッチバックル差し込み側をワンタッチバックル受け側内に係合し、即ち、外包装付属品をその蓋に固定連結できることを特徴とする。
【００１９】
上述のような真空包装袋では、前記外包装付属品の外表面に持ち出すための取っ手が設置される。例えば、箱体の前側面板上又は包装袋の前側面の外表面上、箱体の蓋板上又は包装袋の上部の外表面上に取っ手を設置してもよいことを特徴とする。
【発明の効果】
【００２０】
本発明は従来技術と比較すると、以下の利点がある。
その一、本発明は、真空袋を外包装付属品、例えば、箱体又は包装袋に入れ、真空袋と外包装付属品とが分解可能に連結され、衣類や布団を収納する時、外包装付属品それ自身が整った外形を有することを利用して圧縮された真空袋が整った形状、例えば長方形を保ち、押入れに入れる時積み重ねやすく、且つ外観が整っている。さらに真空袋が外包装付属品に収納され、より良くプラスチック真空袋を保護でき、真空袋が外物によって破れることを防止でき、真空袋の使用寿命を延長するのに有利である。
その二、外包装付属品に取っ手が設置され、真空袋の持ち出しや運搬に便利である。
【００２１】
その三、本発明は不使用時、締結装置を用いて、容易に分解でき、分解した後に折り畳めるので、収納空間も増大しない。
【００２２】
その四、真空袋と外包装付属品とが締結装置で連結され、両方が容易に連結と分解を実現できる。両方が分解された後、それぞれ単独に使用でき、大変便利である。
【図面の簡単な説明】
【００２３】
【図１】図１は本発明の実施例１の全分解図である。
【図２】図２は本発明の実施例１の真空袋と箱体の底板とを連結する部分の分解図である。
【図３】図３は本発明の実施例１の真空袋の底部が箱体の底部に連結されたものの斜視図である。
【図４】図４は本発明の実施例１の真空袋が収納された箱体に蓋板を被せるものの斜視図である。
【図５】図５は本発明の実施例２の斜視図である。
【図６】図６は本発明の実施例２の布袋を除いたものの分解図である。
【図７】図７は本発明の実施例２の布袋を除いたものの斜視図である。
【図８】図８は本発明の実施例３の布袋を除いたものの分解図である。
【図９】図９は本発明の実施例３の布袋を除いたものの斜視図である。
【図１０】図１０は本発明の実施例３の布袋の斜視図である。
【図１１】図１１は本発明の実施例１の真空袋と箱体の底部に連結される他の変形の部分の分解図である。
【発明を実施するための最良の形態】
【００２４】
次に図面を参照しつつ本発明の実施形態について詳細に説明する。
【００２５】
［実施例１］
図１〜４に示すように、本発明の実施例１に係る真空包装袋は、プラスチック真空袋1と、プラスチック真空袋1の底部に設置された、プラスチック真空袋1を収納できる外包装付属品2とを有し、前記外包装付属品2が蓋板4付きの立方体形状の箱体である。プラスチック真空袋1の上部に品物を入れることが可能である開口部11と、開口部11を密閉できる密閉装置12（即ち「シーラー」）とが設置され、収納すべく品物を開口部11から入れ、さらに密閉装置12で開口部11を密閉する。密閉装置12は、設置された凹溝と凸縁からなり、凸縁が凹溝内を嵌合して開口部11の密閉を完成する。
【００２６】
前記プラスチック真空袋1上に、その中の空気を排出できる脱気口13が設置され、衣類を収納した後、プラスチック真空袋1の中の空気が脱気口13から排出される。さらに箱体2の上方に蓋板4が設置され、当該蓋板4が箱体2に被冠される。プラスチック真空袋1と箱体2とを連結するために、プラスチック真空袋1の底部と箱体2との間に締結装置3が設置される。前記締結装置3は、プラスチック真空袋1の底部に設置された貫通穴31と、箱体2上に設置された、貫通穴31を締め付ける締付けベルト32とを有する。当該締付けベルト32の一端が箱体2の紙製底板21上に固定され、他の一端が貫通穴31を通った後、ボタンによって紙製底板21と連結してもよく、マジックテープ（登録商標）７（面ファスナー）で紙製底板21と連結してもよい。マジックテープ（登録商標）（面ファスナー）を用いる方がより便利である。前記プラスチック真空袋1の底部が矩形の平底であり、当該平底の二つの対向する縁は、それぞれ真空袋の二つの縦面を結合して、二つの相対する連結縁14が形成され、当該連結縁14はプラスチック真空袋1中の空間を連通せず、前記の貫通穴31が連結縁14上に設置される。このように箱体2とプラスチック真空袋1との分解は大変容易であり、当該プラスチック真空袋1と箱体2とを分解した後、両方それぞれ単独に使用してもよく、大変便利である。
【００２７】
前記箱体2は、四角形の紙製底板21と、紙製底板21の四つの縁上にそれぞれ四つの紙製側面板25が連結され、隣接の紙製側面板25を上向きに折り畳んだ後にマジックテープ（登録商標）（面ファスナー）で連結する。前記真空袋の底部の連結縁14は二つあり、それぞれプラスチック真空袋1の底部の対向する縁に設置される。前記貫通穴31は四つあり、その中、二つの貫通穴31が一つの連結縁14上に設置され、他の二つの貫通穴31が他の連結縁14上に設置される。前記締付けベルト32は箱体2の紙製底板21上に設置され、締付けベルト32は四つあり、四つの締付けベルト32が四つの貫通穴31に相応に連結される。
【００２８】
箱体2上に梱包用ベルト22が設けられ、梱包用ベルト22の一端が自由端であり、ワンタッチバックル差し込み側23が連結される。蓋板4上にも自由端が設けられ、ワンタッチバックル差し込み側23を挿入できるワンタッチバックル受け側42の梱包用ベルト41が連結されている。前記ワンタッチバックル差し込み側23が前記ワンタッチバックル受け側42内に係合し、蓋板を箱体上に固定させる。箱体2の前側縁上に取っ手24が設置され、使用者が持ち出すのに便利である。
【００２９】
［実施例２］
図５〜７に示すように、本発明の実施例２に係る真空包装袋は、プラスチック真空袋1と、真空袋の底部に設置される支持板5と、プラスチック真空袋1に設置された、真空袋の外部にプラスチック真空袋を収納できる外包装付属品とを有し、その外包装付属品が不織布を用いて作られる包装袋である。後述で布袋2と略称する。前記布袋2が立方体状であり、蓋4を有し、布袋の前縦面に透明な窓が設けられ、使用者は蓋4を開けない場合でも、真空袋中にどんな品物が収納されているか知ることができる。
【００３０】
プラスチック真空袋1の上部に品物を入れることが可能である開口部11と、開口部11を密閉する密閉装置12（即ち「シーラー」）とが設置され、収納すべく品物を開口部11から入れ、さらに密閉装置で開口部11を密閉する。密閉装置12は、設置された凹溝と凸縁からなり、凸縁が凹溝内を嵌合して開口部11の密閉を完成させる。前記プラスチック真空袋1上にその真空袋中の空気を排出できる脱気口13が設置され、衣類が収納された後、真空袋1中の空気は脱気口13から排気される。
【００３１】
プラスチック真空袋1の底部と支持板5との間にプラスチック真空袋1と支持板5とを連結するための締結装置3が設置される。前記締結装置3はプラスチック真空袋1の底部に設置される貫通穴31と、支持板5に設置される、貫通穴31を締め付ける締付けベルト32とを有する。当該締付けベルト32の一端が支持板5上に固定され、他の一端が貫通穴31を通った後にボタンによって支持板5に連結してもよく、マジックテープ（登録商標）（面ファスナー）で支持板5に連結してもよい。マジックテープ（登録商標）（面ファスナー）を用いる方がより便利である。前記プラスチック真空袋1の底部に連結縁14が設置され、当該連結縁14はプラスチック真空袋1中の空間を連通せず、前記の貫通穴31が連結縁14上に設置される。
【００３２】
支持板5の両端にそれぞれ折り目54が設置され、それによって底板51と、二つの折り畳み可能である左側および右側面板52、53が形成される。前記プラスチック真空袋1の底部が支持板の底部51上に位置し、底板51の中間で半分折り畳むことができる折り目55が設けられる。支持板5の左側および右側縁52、53を折り畳んだ後、プラスチック真空袋1と共に布袋2内に収納される。
【００３３】
前記プラスチック真空袋1の底部は四角形の底部であり、前記連結縁14は二つあり、それぞれプラスチック真空袋1の底部の対向する縁に設置される。前記貫通穴31は四つあり、その中、二つの貫通穴31がその一つの連結縁14上に設置され、他の二つの貫通穴31が他の連結縁14上に設置される。前記締付けベルト32は底板51上に設置され、前記締付けベルト32は四つあり、四つの締付けベルト32が四つの貫通穴31に相応に連結される。締付けベルト32はプラスチック真空袋1の底部の貫通穴31を締め付け、プラスチック真空袋1を締め付けることができる。
【００３４】
［実施例３］
図８〜１０に示すように、本発明の実施例３に係る前記真空袋1の底部は尖った底部であり、前記連結縁14は一つであり、前記貫通穴31は二つあり、それぞれ真空袋1の底部の連結縁14上に設置され、前記締付けベルト32が底板51上に設置される。前記締付けベルト32は二つあり、二つの締付けベルト32が二つの貫通穴31に相応に連結される。締付けベルト32はプラスチック真空袋1の底部の貫通穴31を締め付け、プラスチック真空袋1を締付けることができる。
【００３５】
布袋2上に梱包用ベルト21が設置され、梱包用ベルト21の一つの自由端にワンタッチバックル差し込み側211が連結され、梱包用ベルト21の他の一端にワンタッチバックル差し込み側211に挿入できるワンタッチバックル受け側212が連結され、前記ワンタッチバックル差し込み側211がワンタッチバックル受け側212内に係合する。布袋2の二つの側縦面にも取っ手22が設置され、搬送及び持ち出しに便利である。
【００３６】
真空包装袋に収納された品物を取り出す時、プラスチック真空袋1を支持板5と共に布袋2中から取り出す。さらに締付けベルトを開放し、プラスチック真空袋1と支持板5とを分離すればよい。
【００３７】
［その他の変更例］
以上の各実施例は、本発明を説明するために用いられたものであり、本発明を制限するものではない。本分野の一般技術者（当業者）は、特許請求の範囲に記載された技術方案に基づき、多数の変化又は変形をしてもよい。例えば、本願に記載された締結装置3は真空袋1に設置され、及び外包装付属品3上に設置される押ボタンにより連結してもよく、真空袋1の底部の連結縁14上の内ボタン33と、外包装付属品3の底部の外ボタン34とを締結して連結を実現できる（図１１参照）。
【符号の説明】
【００３８】
１  真空袋
２  外包装付属品（具体的には、箱体または包装袋）
３  締結装置
１２  密閉装置（具体的には、シーラー）
【図１】
0005363580.tif 000002
【図２】
0005363580.tif 000003
【図３】
0005363580.tif 000004
【図４】
0005363580.tif 000005
【図５】
0005363580.tif 000006
【図６】
0005363580.tif 000007
【図７】
0005363580.tif 000008
【図８】
0005363580.tif 000009
【図９】
0005363580.tif 000010
【図１０】
0005363580.tif 000011
【図１１】
0005363580.tif 000012